(57)【特許請求の範囲】
【請求項１】
ディジタル変調方式を用いたシステムにおいて、
入力されるＩチャネルデータをヒルベルトトランスフォームフィルタリングして前記Ｉチャネルデータと位相の相違したＱチャネルデータを出力するディジタルフィルタと、
前記入力されるＩチャネルデータを前記ディジタルフィルタのフィルタリング時間だけ遅延させて出力する遅延器と、
前記Ｉチャネルデータを入力として、傾きを検出して累積するための基準信号の区間であることを示す基準信号区間検出信号を出力する基準信号区間処理回路と、
前記遅延器で遅延したＩチャネルデータを入力として、前記基準信号区間における前記基準信号のシンボルデータによって求められた傾きに応じて位相検出判定領域を変えて、適応的に判定エラー値を出力する推定器及び適応判定エラー検出器と、
前記推定器及び適応判定エラー検出器から出力された判定エラー値と前記ディジタルフィルタから出力されたＱチャネルデータを入力として、前記基準信号区間における復調時の位相エラーに起因する復調された信号の傾きを検出して累積させて出力する傾き検出器とから構成されることを特徴とするディジタル信号適応判定エラー検出回路。
【請求項２】
前記傾き検出器は、
下記の式により、傾きの累積値ａを検出することを特徴とする請求項１記載のディジタル信号適応判定エラー検出回路。
【数１】
0003613429.tif 000004
Ｉｅ＝Ｉ’−Ｉ”
ここで、Ｉ’は遅延したＩチャネルデータ、Ｉ”は判定されたシンボル値のシンボルデータ、Ｉｅは判定エラー値、Ｎは基準信号区間のシンボル数である。
【請求項３】
前記推定器及び適応判定エラー検出器は、
前記遅延器で遅延したＩチャネルデータを入力として、シンボル値を基準レベル値と比較して出力する判定器と、
前記遅延器で遅延したＩチャネルデータと、直前の基準信号区間における前記基準信号によって求められた傾きの累積値とに対応する領域判定信号を出力する領域制限器と、
前記判定器で判定したシンボル値のシンボルデータと前記遅延したＩチャネルデータを入力信号として、前記領域制限器の領域判定信号によって、前記入力信号のうちのいずれか一つの信号を選択して出力するマルチプレクサと、
前記遅延したＩチャネルデータから、前記マルチプレクサにより選択されて出力された入力信号を減算して判定エラー値Ｉｅを出力する減算器とから構成される請求項２記載のディジタル信号適応判定エラー検出回路。
【請求項４】
ディジタル変調方式を用いたシステムにおいて、
入力されるＩチャネルデータをディジタルフィルタリングして、前記Ｉチャネルデータと位相の相違したＱチャネルの符号データを出力するディジタルフィルタと、
前記入力されるＩチャネルデータを前記ディジタルフィルタのフィルタリング時間だけ遅延させて出力する遅延器と、
前記Ｉチャネルデータを入力として、傾きを検出して累積するための基準信号の区間であることを示す基準信号区間検出信号を出力する基準信号区間処理回路と、
前記遅延器で遅延したＩチャネルデータを入力として、前記基準信号区間における前記基準信号のシンボルデータによって求められた傾きに応じて位相検出判定領域を変えて、適応的に判定エラー値を出力する推定器及び適応判定エラー検出器と、
前記推定器及び適応判定エラー検出器から出力された判定エラー値と前記ディジタルフィルタから出力されたＱチャネルの符号データを入力として、前記基準信号区間における復調時の位相エラーに起因する復調された信号の傾きを検出して累積させて出力する傾き検出器とから構成されることを特徴とするディジタル信号適応判定エラー検出回路。
【請求項５】
前記推定器及び適応判定エラー検出器は、
前記遅延器で遅延したＩチャネルデータを入力として、シンボル値を基準レベル値と比較して出力する判定器と、
前記遅延器で遅延したＩチャネルデータと、直前の基準信号区間における前記基準信号によって求められた傾きの累積値とに対応するＩチャネル領域判定信号を出力する第１領域制限器と、
前記ディジタルフィルタから出力されたＱチャネルの符号データと、直前の基準信号区間における前記基準信号によって求められた傾きの累積値とに対応するＱチャネル領域判定信号を出力する第２領域制限器と、
前記第１及び第２領域制限器から出力されたＩチャネル領域判定信号とＱチャネル領域判定信号を論理和して領域判定信号を出力する論理ゲートと、
前記判定器で判定したシンボル値のシンボルデータと前記遅延したＩチャネルデータを入力信号として、論理ゲートから出力された領域判定信号によって、前記入力信号のうちのいずれか一つの信号を選択して出力するマルチプレクサと、
前記遅延したＩチャネルデータから、前記マルチプレクサにより選択されて出力された入力信号を減算して判定エラー値Ｉｅを出力する減算器とから構成される請求項４記載のディジタル信号適応判定エラー検出回路。
【請求項６】
前記傾き検出器は、
下記の式により、傾きの累積値ａを検出することを特徴とする請求項５記載のディジタル信号適応判定エラー検出回路。
【数２】
0003613429.tif 000005
Ｉｅ＝Ｉ’−Ｉ”
こで、Ｉ’は遅延したＩチャネルデータ、Ｉ”は判定されたシンボル値のシンボルデータ、Ｉｅは判定エラー値、ｓｇｎ（Ｑ）はＱチャネルの符号データである。
【請求項７】
ディジタル変調方式を用いたシステムにおいて、
Ｉチャネルデータを入力として、傾きを検出して累積するための基準信号の区間であることを示す基準信号区間検出信号を出力する基準信号区間処理回路と、
前記Ｉチャネルデータを入力として、前記基準信号区間における前記基準信号のシンボルデータによって求められた傾きに応じて位相検出判定領域を変えて、適応的に判定エラー値を出力する推定器及び適応判定エラー検出器と、
前記推定器及び適応判定エラー検出器から出力された判定エラー値とＱチャネルデータを入力として、前記基準信号区間における復調時の位相エラーに起因する復調された信号の傾きを検出して累積させて出力する傾き検出器とから構成されることを特徴とするディジタル信号適応判定エラー検出回路。
【請求項８】
前記傾き検出器は、
下記の式により、傾きの累積値ａを検出することを特徴とする請求項７記載のディジタル信号適応判定エラー検出回路。
【数３】
0003613429.tif 000006
Ｉｅ＝Ｉ’−Ｉ”
ここで、Ｉ’はＩチャネルデータ、Ｉ”は判定されたシンボル値のシンボルデータ値、Ｎは基準信号区間のシンボル数、Ｉｅは判定エラー値である。
【請求項９】
前記推定器及び適応判定エラー検出器は、
Ｉチャネルデータを入力としてシンボル値を基準レベル値と比較して出力する判定器と、
前記Ｉチャネルデータと、前記傾き検出器によって直前の前記基準信号により求められた傾きとに対応する領域判定信号を出力する領域制限器と、
前記判定器で判定したシンボル値のシンボルデータと前記Ｉチャネルデータを入力信号として、前記領域制限器のＩチャネル領域判定信号によって、前記入力信号のうちのいずれか一つの信号を選択して出力するマルチプレクサと、
前記Ｉチャネルデータから、前記マルチプレクサにより選択されて出力した入力信号を減算して判定エラー値Ｉｅを出力する減算器とから構成される請求項８記載のディジタル信号適応判定エラー検出回路。
【請求項１０】
ディジタル変調方式を用いたシステムにおいて、
Ｉチャネルデータを入力として、傾きを検出して累積するための基準信号の区間であることを示す基準信号区間検出信号を出力する基準信号区間処理回路と、
前記ＩチャネルデータとＱチャネルの符号データを入力として、前記基準信号区間における前記基準信号のシンボルデータによって求められた傾きに応じて位相検出判定領域を変えて、適応的に判定エラー値を出力する推定器及び適応判定エラー検出器と、
前記推定器及び適応判定エラー検出器から出力された判定エラー値と前記Ｑチャネルの符号データを入力として、前記基準信号区間における復調時の位相エラーに起因する復調された信号の傾きを検出して累積させて出力する傾き検出器とから構成されることを特徴とするディジタル信号適応判定エラー検出回路。
【請求項１１】
前記推定器及び適応判定エラー検出器は、
Ｉチャネルデータを入力としてシンボル値を基準レベル値と比較して出力する判定器と、
前記Ｉチャネルデータと、直前の基準信号区間における前記基準信号によって求められた傾きの累積値とに対応するＩチャネル領域判定信号を出力する第１領域制限器と、
前記Ｑチャネルの符号データと、直前の基準信号区間における前記基準信号によって求められた傾きの累積値とに対応するＱチャネル領域判定信号を出力する第２領域制限器と、
前記第１及び第２領域制限器から出力されたＩチャネル領域判定信号とＱチャネル領域判定信号を論理和して領域判定信号を出力する論理ゲートと、
前記判定器から判定したシンボル値のシンボルデータと前記Ｉチャネルデータを入力信号として、前記倫理ゲートから出力された領域判定信号によって、前記入力信号のうちのいずれか一つの信号を選択して出力するマルチプレクサと、
前記Ｉチャネルデータから、前記マルチプレクサにより選択されて出力した入力信号を減算して判定エラー値Ｉｅを出力する減算器とから構成される請求項１０記載のディジタル信号適応判定エラー検出回路。
【請求項１２】
前記傾き検出器は、下記の式により、傾きの累積値ａを検出することを特徴とする請求項１１記載のディジタル信号適応判定エラー検出回路。
【数４】
0003613429.tif 000007
Ｉｅ＝Ｉ’−Ｉ”
こで、Ｉ’はＩチャネルデータ、Ｉ”は判定されたシンボル値のシンボルデータ、Ｉｅは判定エラー値である。ｓｇｎ（Ｑ）はＱチャネルの符号データである。
【請求項１３】
ディジタル変調方式を用いたシステムにおいて、
Ｉチャネルデータから傾きを検出して累積するための基準信号の区間であることを示すパルスを出力するパルス発生器と、
前記Ｉチャネルデータを入力として、前記基準信号区間における前記基準信号のシンボルデータによって求められた傾きに応じて位相検出判定領域を変えて、適応的に判定エラー値を出力する推定器及び適応判定エラー検出器と、
前記ＩチャネルデータとＱチャネルの符号データを入力として、前記基準信号区間における前記基準信号のシンボルデータによって求められた傾きに応じて位相検出判定領域を変えて、判定エラー値を出力する推定器及び適応判定エラー検出器と、
前記推定器及び適応判定エラー検出器から出力された判定エラー値と前記Ｑチャネルの符号データを入力として、前記基準信号区間における復調時の位相エラーに起因する復調された信号の傾きを検出して累積させて出力する傾き検出器とから構成されることを特徴とするディジタル信号適応判定エラー検出回路。
【請求項１４】
前記推定器及び適応判定エラー検出器は、
前記Ｉチャネルデータを入力としてシンボル値を基準レベル値と比較して出力する判定器と、
前記Ｉチャネルデータと、前記傾き検出器によって直前の前記基準信号により求められた傾きとに対応するＩチャネル領域判定信号を出力する第１領域制限器と、
前記Ｑチャネルの符号データと、前記傾き検出器によって直前の前記基準信号により求められた傾きとに対応するＱチャネル領域判定信号を出力する第２領域制限器と、
前記第１及び第２領域制限器から出力されたＩチャネル領域判定信号とＱチャネル領域判定信号を論理和して領域判定信号を出力する論理ゲート
前記判定器で判定したシンボル値のシンボルデータと前記Ｉチャネルデータを入力信号として、前記論理ゲートから出力された領域判定信号によって、前記入力信号のうちのいずれか一つの信号を選択して出力するマルチプレク
サと、
前記Ｉチャネルデータから、前記マルチプレクサにより選択されて出力した入力信号を減算して判定エラー値Ｉｅを出力する減算器とから構成されることを特徴とする請求項１３記載のディジタル信号適応判定エラー検出回路。
【請求項１５】
前記傾き検出器は、下記の式により、傾きの累積値ａを検出することを特徴とする請求項１４記載のディジタル信号適応判定エラー検出回路。
【数５】
0003613429.tif 000008
Ｉｅ＝Ｉ’−Ｉ”
こで、Ｉ’はＩチャネルデータ、Ｉ”は判定されたシンボル値のシンボルデータ、Ｉｅは判定エラー値、ｓｇｎ（Ｑ）はＱチャネルの符号データである。
【請求項１６】
（注：請求項４に対応した方法の請求項）  ディジタル変調方式を用いたシステムにおけるディジタル信号適応判定エラー検出方法において、
入力されるＩチャネルデータをディジタルフィルタリングして、前記Ｉチャネルデータと位相の相違したＱチャネルの符号データを出力するディジタルフィルタステップと、
前記入力されるＩチャネルデータを前記ディジタルフィルタのフィルタリング時間だけ遅延させて出力する遅延ステップと、
前記Ｉチャネルデータを入力として、傾きを検出して累積するための基準信号の区間であることを示す基準信号区間検出信号を出力する基準信号区間処理ステップと、
前記遅延器で遅延したＩチャネルデータを入力として、前記基準信号区間における前記基準信号のシンボルデータによって求められた傾きに応じて位相検出判定領域を変えて、適応的に判定エラー値を出力する推定器及び適応判定エラー検出ステップと、
前記推定器及び適応判定エラー検出器から出力された判定エラー値と前記ディジタルフィルタから出力されたＱチャネルの符号データを入力として、前記基準信号区間における復調時の位相エラーに起因する復調された信号の傾きを検出して累積させて出力する傾き検出ステップとを有することを特徴とするディジタル信号適応判定エラー検出方法。
【請求項１７】
ディジタル変調方式を用いたシステムにおけるディジタル信号適応判定エラー検出方法において、
Ｉチャネルデータを入力として、傾きを検出して累積するための基準信号の区間であることを示す基準信号区間検出信号を出力する基準信号区間処理ステップと、
前記ＩチャネルデータとＱチャネルの符号データを入力として、前記基準信号区間における前記基準信号のシンボルデータによって求められた傾きに応じて位相検出判定領域を変えて、適応的に判定エラー値を出力する推定器及び適応判定エラー検出ステップと、
前記推定器及び適応判定エラー検出器から出力された判定エラー値と前記Ｑチャネルの符号データを入力として、前記基準信号区間における復調時の位相エラーに起因する復調された信号の傾きを検出して累積させて出力する傾き検出ステップとを有することを特徴とするディジタル信号適応判定エラー検出方法。
【発明の詳細な説明】
【０００１】
【発明の属する技術分野】
本発明はディジタル変調方式を用いるシステムにおけるディジタル信号の判定エラー検出回路及び方法に係り、特に、位相検出判定領域を制限して判定エラーを適応的に求める回路及び方法に関する。
【０００２】
【従来の技術】
黒白テレビジョンを始めとしてカラーテレビジョンの開発以後、最近のテレビジョンは大型画面化になって臨場感を感じることができ、高解像度が要求されてきている。このような方向の活発な研究開発によって、日本は現在アナログ伝送方式に基づいた最初のＨＤＴＶ（Ｈｉｇｈ  Ｄｅｆｉｎｉｔｉｏｎ  ＴＶ）放送を行っている。日本のＨＤＴＶ伝送方式は、当該技術分野ではＭＵＳＥ（Ｍｕｌｔｉｐｌｅ  Ｓｕｂ−Ｎｙｑｕｉｓｔ  Ｓａｍｐｌｉｎｇ  Ｅｎｃｏｄｉｎｇ）伝送方式と呼ばれる。米国ではＧＡ（Ｇｒａｎｄ  Ａｌｌｉａｎｃｅ）委員会でＨＤＴＶシステムの変調方法としてＶＳＢ変調方式を採用し、この概略的な構成を提案した。前記ＶＳＢ変調方式は既存のＴＶ放送でアナログ映像信号の変調方法中の一つとして用いられている。米国のＧＡ委員会で提案したＧＡ−ＨＤＴＶは前記ＶＳＢを用いてディジタル変調信号を伝送するものとして採用した。初期のＤＳＣ（Ｄｉｇｉｔａｌ  Ｓｐｅｃｔｒｕｍ  Ｃｏｍｐａｔｉｂｌｅ）−ＨＤＴＶでは２つ或いは４つのレベルを用いた２レベル−ＶＳＢと４レベル−ＶＳＢの変調方法が採用されたが、ＧＡ−ＨＤＴＶでは８つのレベルを用いた８レベル−ＶＳＢと高速ケーブルモード（ｈｉｇｈ  ｓｐｅｅｄ  ｃａｂｌｅ  ｍｏｄｅ）に適用された１６−ＶＳＢを変調方法として採用した。このようなＶＳＢ信号を復調するために、前記ＧＡ委員会では次の特徴をもつＶＳＢ受信器を提案した。ＧＡ委員会で提案したＨＤＴＶのＶＳＢ受信器は他のディジタル変調信号の復調器とは異なり、Ｉ（Ｉｎ−ｐｈａｓｅ）チャネルの信号のみでデータを検出して標本化をシンボルレート単位で行う。従って、ＧＡ委員会で提案したＨＤＴＶのＶＳＢ受信器はＩチャネルとＱ（Ｑｕａｄｒａｔｕｒｅ）チャネルを同時に使用するＱＡＭなどの受信器に比べて極めて簡単な構成をもつという利点がある。また、受信されたデータをシンボルレートで処理するので、フラクショナルレート（ｆｒａｃｔｉｏｎａｌ  ｒａｔｅ）受信器に比べて相対的に処理速度が低くてもデータの検出が行えるという長所がある。
【０００３】
そして、前記提案されたＶＳＢ受信器は、ＶＳＢ変調信号からディジタルデータを検出するに際して、搬送波を復元して復調する同期式検出方式（ｃｏｈｅｒｅｎｔ  ｄｅｔｅｃｔｉｏｎ）を使用する。前記同期式検出方式は非同期式検出方式に比べて同一信号対雑音比においてさらに低いエラー率で検出が可能であるという利点があるが、搬送波復元回路によって受信器の構造は複雑になる。従って、提案されたＶＳＢ受信器では、同期式検出のための送信信号の位相検出をＦＰＬＬ（Ｆｒｅｑｕｅｎｃｙ  ａｎｄ  Ｐｈａｓｅ  Ｌｏｃｋｅｄ  Ｌｏｏｐ）と位相トラッカを用いた２段階で構成する。
【０００４】
前記ＦＰＬＬはＶＳＢ信号に含まれたパイロット信号を用いて送信信号の位相を推定（Ｐｈａｓｅ  ｔｒａｃｋｉｎｇ）する。このようなＦＰＬＬは既存のＰＬＬの周波数エラー検出回路で容易に実現することができ、これはＧＡ−ＨＤＴＶシステム勧告案に開示されている。前記ＦＰＬＬの出力はチャネル等化器を通過した後、ＰＴＬ回路の入力として印加される。前記ＰＴＬ回路はＦＰＬＬで除去されていない位相の雑音、即ち位相のエラーを除去する機能を果たす。ＧＡ−ＨＤＴＶ受信器のＰＴＬ回路の構造はＤＤＣＲ（Ｄｅｃｉｓｉｏｎ  Ｄｉｒｅｃｔｅｄ  Ｃａｒｒｉｅｒ  Ｒｅｃｏｖｅｒｙ）の構造と大きく相違しないが、入力されたＩチャネルの標本化されたデータを用いて信号点の回転成分を推定した後、これから位相のエラー値を補償する構造を有する。前記Ｉチャネルのデータには実際に伝達しようとする情報が含まれており、Ｑチャネル（直交状）には実際情報の伝達機能はないが、変調信号のスペクトルを減少させる役割を果たす。従って、復調時に位相エラーがあれば、Ｉチャネルの標本化データにはＩチャネルのデータのみならずＱチャネルの信号も含まれる。従って、ＰＴＬ回路で位相エラーを修正するためにはＱチャネルの情報も必要である。この時、Ｑチャネルの情報はＩチャネルのデータをヒルベルトトンラスフォームフィルタ（ｈｉｌｂｅｒｔ  ｔｒａｎｓｆｏｒｍ  ｆｉｌｔｅｒ）でフィルタリングすることにより容易に求められる。
【０００５】
図１はＧＡ−委員会から標準方式として提案されたＧＡ−ＨＤＴＶ受信器の構造を示すブロック構成図である。前記図１に示したＶＳＢ受信器に対する動作概要についての説明は韓国通信学会が１９９４年に発行した秋季総合学術発表会論文集（「同期式ＶＳＢ受信器のためのＰｈａｓｅ  Ｔｒａｃｋｅｒ  の設計及び性能分析」）に開示されている。
【０００６】
図１に示すように、ディジタル残留側波帯変調方式を用いるシステムは、等化器５０及びＰＴＬ６０でディジタル信号を判定してその判定エラー値を用いる方法が適用されている。図１の等化器５０及びＰＴＬ６０で適用されるディジタル信号判定方法は一般に図２に示すように受信されたＩ信号を用いて一番近いシンボルで判定する。また、既存の判定方法が位相エラーなどによって誤判することを改善するために、Ｉ信号から測定されたＱ信号を用いて図２に示した斜線で表示された傾きを求めて適応判定する方法が提案された。これは固定された決定領域が小さい残留位相誤差にも間違った決定をしやすい反面、一定数のデータからスロープを求めて適応的な決定領域を持たせることにより、決定エラーを減らせるように改善しているが、ディジタル信号をＩ、Ｑ両軸で判定するための回路が複雑になるという問題点があった。
【０００７】
【発明が解決しようとする課題】
従って本発明の目的は、ディジタル変調方式を用いるシステムで判定領域を適応的に制限して入力信号の状態に応じて判定エラーを求めるディジタル信号適応判定エラー検出回路及び方法を提供することにある。
本発明の他の目的は、ハードウェア構成を単純化し、安定的な動作を行うディジタル信号適応判定エラー検出回路及び方法を提供することにある。
【０００８】
【課題を解決するための手段】
このような目的を達成するために本発明は、ディジタル変調方式を用いたシステムにおいて、入力されるＩチャネルデータをヒルベルトトランスフォームフィルタリングして前記Ｉチャネルデータと位相の相違したＱチャネルデータを出力するディジタルフィルタと、前記入力されるＩチャネルデータを前記ディジタルフィルタのフィルタリング時間だけ遅延させて出力する遅延器と、前記Ｉチャネルデータを入力として、傾きを検出するための基準信号区間検出信号を出力する基準信号区間処理回路と、前記基準信号区間検出信号の間前記遅延器で遅延したＩチャネルデータを入力としてシンボルデータを判定し、求められた傾きによって適応的に判定エラー値を出力する推定器及び適応判定エラー検出器と、前記推定器及び適応判定エラー検出器から出力された判定エラー値と前記ディジタルフィルタから出力されたＱチャネルデータを入力として、前記基準信号区間検出信号の間傾きを検出して累積させて出力する傾き検出器とから構成されることを特徴とする。
【０００９】
【発明の実施の形態】
以下、添付図面を参照して本発明による好ましい実施例を詳細に説明する。図３は、本発明の一実施例による判定エラーを適応的に求める回路図である。ディジタルフィルタ１０２は入力されるＩチャネルデータをヒルベルトトランスフォームフィルタリングして、前記Ｉチャネルデータと位相が相違した第１のＱチャネルデータ、例えば、Ｑ１チャネルデータを出力する。遅延器１００は入力されるＩチャネルデータを前記ディジタルフィルタ１０２のフィルタリング時間だけ遅延させて出力する。基準信号区間処理回路１０４はＩチャネルデータを入力として、傾きを検出するための基準信号区間検出信号を出力する。推定器及び適応判定エラー検出器１０６は前記基準信号区間検出信号の間前記遅延器１００で遅延したＩチャネルデータを入力として、求められた傾きに基づいてシンボルデータを判定し、判定エラー値を出力する。傾き検出器１０８は前記推定器及び適応判定エラー検出器１０６からの判定エラー値と前記ディジタルフィルタ１０２からのＱ’チャネルデータを入力として、前記基準信号区間検出信号の間傾きを検出して累積させて前記推定器及び適応判定エラー検出器１０６へ出力する。
【００１０】
図４は、図３中の推定器及び適応判定エラー検出器１０６の具体回路図である。判定器１１０は前記遅延器１００で遅延したＩチャネルデータを入力として、シンボル値を基準レベル値と比較して出力する。領域制限器１１２は前記遅延器１００からのＩチャネルデータと求められた傾きに対応する判定領域を比較して、制限された領域判定信号を出力する。つまり、Ｉチャネルデータが「制限された判定領域」にある場合は、「０」を出力する。マルチプレクサ（以下、“ＭＵＸ”）１１４は前記判定器１１０で判定したシンボルデータと前記遅延したＩチャネルデータを入力として、前記領域制限器１１２の領域判定信号によって一つの信号を選択して出力する。減算器１１６は前記遅延したＩチャネルデータより前記ＭＵＸ１１４から選択出力された信号を減算して判定エラー信号Ｉｅを出力する。
【００１１】
図５は、本発明の一実施例による図３の動作波形図である。図６は、ＧＡ−ＶＳＢ方式の信号フォーマット図である。次に、上述した図３〜図６を参照して本発明の好ましい一実施例の動作を詳しく説明する。本発明で判定エラーを求める時、シンボル判定方法は求められた傾きａに応じて入力信号を判定する範囲を制限することである。基準信号を用いる場合は、ＧＡ−ＶＳＢ方式ではセグメント同期或いはフィールド同期を基準信号とし具現することができ、推定器を使用する等化器或いはＰＴＬに利用することができる。即ち、ＧＡ−ＶＳＢ方式の信号フォーマットは図６のようにフィールド当たり一つのセグメントに該当するフィールド同期をもっており、各セグメント当
たり４シンボルのデータセグメント同期を持っている。このようなデータは決まった値なので、傾きａを求めるのに利用することができる。例えば、データセグメントは＋Ｓ、−Ｓ、−Ｓ、＋Ｓの形態を有する。＋Ｓと−Ｓは送信側と受信側で定められたシンボルデータのレベル値を−７、−５、−３、−１、＋１、＋３、＋５、＋７と定義する場合、＋５、−５を用いる。
【００１２】
ＧＡ−ＶＳＢ方式の場合、シンボルデータ判定時に入力される信号はＩチャネル信号だけであり、これから位相情報を抽出するためにはＱチャネル情報が必要なので、Ｉチャネル信号とヒルベルトトランスフォームフィルタのディジタルフィルタ１０２を用いて前記Ｑチャネル信号を前記Ｉチャネル信号から復元する。即ち、図３に示したディジタルフィルタ１０２は入力されるＩチャネルデータをヒルベルトトランスフォームフィルタリングしてＱ’チャネルデータに復原して出力する。一方、遅延器１００は入力されるＩチャネルデータを前記ディジタルフィルタ１０２のフィルタリング時間だけ遅延させて、遅延したＩチャネルデータを出力する。そして、基準信号区間処理回路１０４はＩチャネルデータから傾きを検出するための基準信号パルスを検出し、推定器及び適応判定エラー検出器１０６と傾き検出器１０８へ出力する。この時、推定器及び適応判定エラー検出器１０６はＩチャネルシンボルデータを判定して出力し、判定エラー信号Ｉｅを出力する。
【００１３】
次に、前記推定器及び適応判定エラー検出器１０６の動作を図４を参照して説明する。領域制限器１１２は入力信号のＩチャネルデータと判定領域とを比較して、判定エラーを求める制限された領域判定信号を出力する。（注：段落番号００１０から明らか。）この時、入力信号のＩチャネルデータが制限された領域（注：判定領域内）に存在すれば０を、制限された領域の外に存在すれば１を出力して、ＭＵＸ１１４の選択端子に印加する。判定器１１０は入力信号のＩチャネルデータのシンボル値を予め設定された基準レベルと比較する。８レベル（−７、−５、−３、−１、＋１、＋３、＋５、＋７）。他の境界部分の２、４、６の場合は、同様に、切り下げ或いは切り上げを行う。そして、ＭＵＸ１１４は前記領域制限器１１２から出力された信号によって判定器１１０からの信号或いは入力信号のＩチャネルデータを選択して出力する。従って、領域制限器１１２の出力信号が１の場合、ＭＵＸ１１４は入力信号が求められた傾きに対応する判定領域の外に存在しているので、入力信号をそのまま選択して出力する。これにより、減算器１１６の二つの入力端子には、同一入力信号のＩチャネルデータが印加されることとなり、減算された結果、減算器１１６から０の判定エラーＩｅを出力する。しかし、領域制限器１１２の出力信号が０の場合、ＭＵＸ１１４は入力信号が求められた傾きに対応する判定領域内に存在しているので、判定器１１０で設定の基準レベル値と判定した信号を出力する。従って、減算器１１６は入力信号（遅延器１００の出力Ｉ’）から、設定された基準レベル値と比較された信号（判定器１１０の出力Ｉ”）を減算して判定エラーＩｅ（Ｉ’−Ｉ”）を出力する。しかし、初期状態では判定領域が図５に示すＰ２のように一般的な判定領域を有する。このようにして傾き検出器１０８は基準信号区間処理回路１０４から検出された基準信号区間の間の信号＋Ｓと−Ｓレベルに対して下記の式（１）、（２）によって累積した傾きａ値を求め、基準信号区間が終わると同時にこの値を用いて推定器及び適応判定エラー検出器１０６の判定領域を図５に示すＰ１に該当するように変える（例えば、傾きがａ度の場合）。
【００１４】
【数６】
0003613429.tif 000002
【００１５】
ここで、Ｉ’は入力信号、Ｉ”は判定結果シンボルデータ値、Ｎは基準信号区間のシンボル数を示す。前記式（１）は簡単なハードウェアのために１／Ｎを除去することができる。また、Ｑは単に符号のみを使用することもできる。これはディジタルフィルタの次数によって推定されたＱ値を信頼できない場合が多いので、一番信頼できるＱ値であるＱの符号を用いる方法である。この方法はディジタルフィルタの次数と関係なく動作する。即ち、累積した傾きａ値を下記の式（３）によって求めることができる。
【００１６】
【数７】
0003613429.tif 000003
【００１７】
ここで、１／Ｎは省略することもできる。ｓｇｎ（Ｑ）はＱチャネルの符号データである。次の基準信号が入力されるまで推定器及び適応判定エラー検出器１０６の動作は求められた傾きで固定されて動作する。求められた傾きによって図５に示すように判定エラーを求める判定領域が設定され、判定領域を超える入力信号に対しては判定エラーを０にして使用しない。即ち、図５の傾きａ度をもつ場合、一部分が判定領域の外に存在する。ランダム信号を用いて傾きを求める場合、基準信号区間処理回路１０４は傾きを求めるための区間信号を発生させるパルス発生器に置き換えることができる。
【００１８】
図７は、本発明の他の実施例による判定エラーを適応的に求める回路図である。図７においては、ＩチャネルデータのみならずＱチャネルデータを用いて領域を制限することにより、判定エラーの信頼度を高めることを示す。
ディジタルフィルタ２０２は入力されるＩチャネルデータをディジタルフィルタリングして、前記Ｉチャネルデータと位相の相違したＱチャネルの符号データを出力する。遅延器２００は入力されるＩチャネルデータを前記ディジタルフィルタ２０２のフィルタリング時間だけ遅延させて出力する。基準信号区間処理回路２０４はＩチャネルデータを入力として、傾きを検出するための基準信号区間検出信号を出力する。推定器及び適応判定エラー検出器２０６は前記基準信号区間検出信号の間前記遅延器２００で遅延したＩチャネルデータとＱチャネルデータを入力としてシンボルデータを判定し、求められた傾きによって判定エラー値を出力する。傾き検出器２０８は前記推定器及び適応判定エラー検出器２０６からの判定エラー値と前記ディジタルフィルタ２０２からのＱチャネルの符号データを入力として、前記基準信号区間検出信号の間傾きを検出して累積させて前記推定器及び適応判定エラー検出器２０６に出力する。
【００１９】
図８は、図７における推定器及び適応判定エラー検出器２０６の具体回路図である。判定器２１０は前記遅延器２００で遅延したＩチャネルデータを入力として、シンボル値を基準レベル値と判定して出力する。第１領域制限器２１２は前記遅延器２００により遅延されたＩチャネルデータと求められた傾きに対応するＩチャネル判定領域を比較し、制限されたＩチャネル領域判定信号を出力する。第２領域制限器２１４は前記ディジタルフィルタ２０２から出力されたＱチャネルの符号データと求められた傾きに対応して判定領域を比較して、制限されたＱチャネル領域判定信号を出力する。ＯＲゲート２１６は前記第１及び第２領域制限器２１２、２１４から出力されたＩチャネル領域判定信号とＱチャネル領域判定信号とを論理和して出力する。ＭＵＸ２１８は前記判定器２１０で判定したシンボルデータと前記遅延したＩチャネルデータを入力として、前記ＯＲゲート２１６から出力された領域判定信号によって一つの信号を選択して出力する。減算器２２０は、前記遅延したＩチャネルデータから、前記ＭＵＸ２１８から選択出力された信号を減算して判定エラー信号Ｉｅを出力する。
【００２０】
図９は、本発明の他の実施例による図７の動作波形図である。上述した図７〜図９を参照して、本発明の好ましい他の実施例の動作を詳しく説明する。
図７に示すようにディジタルフィルタ２０２は等化器５０（図１を参照）から入力されるＩチャネルデータからディジタルＱチャネルの符号データを復元して出力する。一方、遅延器２００は等化器５０から出力されるＩチャネルデータを前記ディジタルフィルタ２０２のフィルタリング時間だけ遅延させて、遅延したＩチャネルデータを出力する。そして、基準信号区間処理回路２０４はＩチャネルデータから傾きを検出するための基準信号パルスを検出して、推定器及び適応判定エラー検出器２０６と傾き検出器２０８へ出力する。この時、推定器及び適応判定エラー検出器２０６はＩチャネルシンボルデータを判定して出力し、判定エラー信号Ｉｅを出力する。
【００２１】
次に、前記推定器及び適応判定エラー検出器２０６の動作を図８を参照して説明する。第１領域制限器２１２は入力信号のＩチャネルデータと制限された領域を比較して、Ｉチャネル判定領域を制限する。この時、入力信号のＩチャネルデータが制限された領域に存在すれば０を、制限された領域の他に存在すれば１を出力する。第２領域制限器２１４はディジタルフィルタ２０２から出力されたＱチャネルデータと制限された領域を比較してＱチャネル判定領域を制限する。この時、Ｑチャネルデータが制限された領域に存在すれば０を、制限された領域の他に存在すれば１を出力する。前記第１及び第２領域制限器２１２、２１４から出力されたＩチャネル及びＱチャネル判定領域制限信号はＯＲゲート２１６を通じてＭＵＸ２１８の選択端子に印加する。そして、判定器２１０は入力信号としてのＩチャネルデータのシンボル値を設定された基準レベルと判定する。８レベルをもつ場合、Ｉチャネルデータが０と２との間の場合、判定出力は１になる。境界部分の２、４、６の場合は下げまたは上げで同一に適用する。そして、ＭＵＸ２１８は前記第１及び第２領域制限器２１２、２１４から出力された信号によって判定器２１０からの信号または入力信号のＩチャネルデータを選択して出力する。従って、第１及び第２領域制限器２１２、２１４の出力信号が１になると、ＭＵＸ２１８は入力信号が求められた傾きに対応する制限された領域の他に存在するので、入力信号をそのまま選択して出力する。
【００２２】
これにより、減算器２２０は同一入力信号のＩチャネルデータを減算し、０の判定エラーＩｅを出力する。しかし、第１及び第２領域制限器２１２、２１４の出力信号が０になると、ＭＵＸ２１８は入力信号が求められた傾きに対応する制限された領域内に存在するので、判定器２１０で設定の基準レベルと判定した信号を出力する。従って、減算器２２０は入力信号から設定された基準レベル値と判定した信号を減算して判定エラーＩｅを出力する。このようにして傾き検出器２０８は基準信号区間処理回路２０４から検出された基準信号区間の間＋Ｓと−Ｓレベルに対して上述した式（１）〜（３）によって傾きａ値を求めて累積させ、基準信号区間が終わると同時にこの値を用いて推定器及び適応判定エラー検出器２０６の判定エラー検出のための判定領域を図９に示すように斜線の引かれた部分に制限する。そして、次の基準信号が入力される時まで推定器及び適応判定エラー検出器２０６の動作は求められた傾きで固定されて動作する。求められた傾きによって図９に示すように判定領域が制限され、判定エラーを求める判定領域を超える入力信号に対しては判定エラーを求めない。実際チャネル状況が変わることはＩ、Ｑの全てに対して影響を及ぼすので、Ｉ軸に対してのみ判定領域を制限するよりはＱ軸に対しても判定領域を制限することが好ましい。従って、図７の傾き検出器２０８で図９のように求められた傾きによってＩ、Ｑチャネルの全てに判定領域を制限した。この構成でも図３と同様にランダム信号から傾きａを求める時、基準信号区間処理回路２０４は傾きを求めるための区間信号パルス発生器になり、全てのランダムデータを用いて傾きを求める。
【００２３】
尚、本発明の実施例ではＩチャネルデータを受けてＱチャネル信号を求めてディジタルデータを判定するための領域を制限して適応的に判定したが、受信されるデータから分離されたＩチャネルデータとＱチャネルデータの入力を直接受けてディジタルデータを判定することができ、このとき、図３または図７で用いられた遅延器１００、２００及びディジタルフィルタ１０２、２０２無しでディジタルデータの領域を制限して判定エラーを求めることができる。
【００２４】
【発明の効果】
以上述べてきたように本発明は、位相エラーなどによる判定エラ−の誤りを減少させるために、信号の誤りを傾きから検出してこれに基づいて判定エラーを求める領域を適応的に制限することにより、信頼可能な判定エラーを求めることのできる利点がある。
【００２５】
尚、Ｑに対する符号化を用いる場合に正確なＱ値の推定無しで方向性のみで位相エラーを求めることができて精巧なディジタルフィルタを要求せず、方向性のみを用いてディジタルフィルタのハードウェア構成を単純化させることができ、Ｉチャネル値とＱチャネル値の判定領域を制限して正確な判定を行える長所がある。
【図面の簡単な説明】
【図１】米国ＧＡ（Ｇｒａｎｄ  Ａｌｌｉａｎｃｅ）−ＨＤＴＶグループで制限されたＧＡ−ＨＤＴＶ受信器の一般的なブロック構成図である。
【図２】従来の技術により実現された判定方法とエラーのある入力信号に対するスケタリング線図である。
【図３】本発明の一実施例による判定エラーを適応的に求める回路図である。
【図４】図３における適応推定器及び適応判定エラー検出器の具体回路図である。
【図５】本発明の一実施例による図３の動作波形図である。
【図６】ＧＡ−ＶＳＢ方式の信号フォーマット図である。
【図７】本発明の他の実施例による判定エラーを適応的に求める回路図である。
【図８】図７における推定器及び適応判定エラー検出器の具体回路図である。
【図９】本発明の他の実施例による図７の動作波形図である。
【符号の説明】
１００，２００  遅延器
１０２，２０２  ディジタルフィルタ
１０４，２０４  基準信号区間処理回路
１０６，２０６  推定器及び適応判定エラー検出器
１０８，２０８  傾き検出器
１１０，２１０  判定器
１１２，２１２，２１４  領域制限器
１１４，２１８  ＭＵＸ
１１６，２２０  減算器
２１６  ＯＲゲート
【図１】
0003613429.tif 000009
【図２】
0003613429.tif 000010
【図３】
0003613429.tif 000011
【図４】
0003613429.tif 000012
【図５】
0003613429.tif 000013
【図６】
0003613429.tif 000014
【図７】
0003613429.tif 000015
【図８】
0003613429.tif 000016
【図９】
0003613429.tif 000017